(57)【要約】【課題】硬質物品に付着した油汚れに対する洗浄力に優れ、また、硬質物品処理後の水切れ性にも優れた、硬質表面用液体洗浄剤組成物を提供する。【解決手段】界面活性剤を含有する硬質表面用液体洗浄剤組成物であって、界面活性剤として、（Ａ）非イオン界面活性剤〔以下、（Ａ）成分という〕、及び任意に（Ｂ）両性界面活性剤〔以下、（Ｂ）成分という〕を含有し、界面活性剤中、（Ａ）成分の割合が６０質量％以上であり、（Ａ）成分として、（Ａ１）アルキル基の炭素数が１０以上１８以下であり、アルカノール基の炭素数が２又は３であるアルキルモノ又はジアルカノールアミン又はそのアルキレンオキシド付加物（アルキレンオキシドの炭素数は２又は３である）〔以下、（Ａ１）成分という〕を含有し、（Ａ）成分及び（Ｂ）成分の合計中、（Ａ１）成分の割合が、０．５質量％以上２０質量％以下である、硬質表面用液体洗浄剤組成物。【選択図】なし【特許請求の範囲】
【請求項１】
界面活性剤を含有する硬質表面用液体洗浄剤組成物であって、
界面活性剤として、（Ａ）非イオン界面活性剤〔以下、（Ａ）成分という〕、及び任意に（Ｂ）両性界面活性剤〔以下、（Ｂ）成分という〕を含有し
界面活性剤中、（Ａ）成分の割合が６０質量％以上であり、
（Ａ）成分として、（Ａ１）アルキル基の炭素数が１０以上１８以下であり、アルカノール基の炭素数が２又は３であるアルキルモノ又はジアルカノールアミン又はそのアルキレンオキシド付加物（アルキレンオキシドの炭素数は２又は３である）〔以下、（Ａ１）成分という〕を含有し、
（Ａ）成分及び（Ｂ）成分の合計中、（Ａ１）成分の割合が、０．５質量％以上２０質量％以下である、
硬質表面用液体洗浄剤組成物。
【請求項２】
（Ａ）成分として、アミンオキシド型界面活性剤、アルキル基の炭素数が１０以上１８以下であるアルキルグリコシド型界面活性剤、及び炭素数８以上１２以下のアルキル基を有するグリセリルエーテル型界面活性剤から選ばれる一種以上を含有する、請求項１記載の硬質表面用液体洗浄剤組成物。
【請求項３】
アミンオキシド型界面活性剤が、３級窒素原子に結合する３つの基のうち、少なくとも１つが炭素数１０以上１８以下のアルキル基であり、残りが炭素数１以上３以下のアルキル基である３級アミンオキシド型界面活性剤である、請求項２記載の硬質表面用液体洗浄剤組成物。
【請求項４】
（Ｂ）成分として、ベタイン型界面活性剤を含有する、請求項１〜３の何れか１項記載の硬質表面用液体洗浄剤組成物。
【請求項５】
界面活性剤として、任意に（Ｃ）陰イオン界面活性剤を含有し、界面活性剤中、（Ｃ）の割合が１０質量％以下である、請求項１〜４の何れか１項記載の硬質表面用液体洗浄剤組成物。
【請求項６】
食器洗浄用である、請求項１〜５何れか記載の硬質表面用液体洗浄剤組成物。
【発明の詳細な説明】
【技術分野】
【０００１】
本発明は、硬質表面用液体洗浄剤組成物及びその水切れ性改善方法に関する。
【背景技術】
【０００２】
硬質表面を有する物品、例えば食器には、油汚れなど洗浄負荷が大きい汚れが多く付着する。そのため、食器などの洗浄においては、油汚れに対する洗浄力に優れた液体洗浄剤が求められる。
【０００３】
特許文献１には、陰イオン界面活性剤、アルキルポリグリコシドおよびセッケンを含有する液体洗剤であって、脂肪アルコールスルフェート２〜１０重量％、アルキルポリグリコシド５〜２５重量％、セッケン０．１〜９重量％、低級アルコール３〜８重量％を含有し、粘度が４００〜３０００ｍＰａ・ｓである液体洗剤が記載されている。
【０００４】
また、特許文献２には、特定のアルキルグリコシド型非イオン界面活性剤１〜５０質量％、アルキル基の炭素数が５〜１８のスルホコハク酸モノアルキルエステル又はその塩及びアルキル基の炭素数がそれぞれ５〜１８のスルホコハク酸ジアルキルエステル又はその塩から選ばれる化合物、並びに炭素数８〜２２の脂肪酸又はその塩を含有する食器洗浄用洗浄剤組成物が開示されている。
【０００５】
一方、アルキルアルカノールアミン型界面活性剤を含有する洗浄剤としては、特許文献３〜５を挙げることができる。
【０００６】
また、特許文献６には、酸性水溶液において０．５〜２重量％のポリオキシエチレンアルキルアミンと０．２〜１重量％の非イオン活性剤を必須成分とするガラス用洗浄剤組成物が記載されている。
【先行技術文献】
【特許文献】
【０００７】
【特許文献１】特表平６−５０４５５７号公報
【特許文献２】特開２０１２-１７２０３２号公報
【特許文献３】特開２０１６−１３２６８９号公報
【特許文献４】特開２００３−１１９４９６号公報
【特許文献５】特開２００８−２４７９５２号公報
【特許文献６】特開昭６３−０４８３９８号公報
【発明の概要】
【発明が解決しようとする課題】
【０００８】
非イオン界面活性剤を主成分とする硬質表面洗浄剤は、油脂を含む汚れに対する洗浄力に優れるが、ポリエチレンやポリプロピレンなどの疎水性硬質表面に付着した油脂を含む汚れに対する洗浄力については、更なる向上が望まれている。また、硬質物品、なかでもガラスや陶器などの親水性表面を洗浄した場合、水切れ性が悪いと、乾燥時間が長くなるばかりか、表面に水滴が付着して乾燥すると白点などが形成されるなどの審美的な課題も生じる。
【０００９】
本発明は、硬質物品に付着した油汚れに対する洗浄力に優れ、また、硬質物品処理後の水切れ性にも優れた、硬質表面用液体洗浄剤組成物を提供する。
【課題を解決するための手段】
【００１０】
本発明は、界面活性剤を含有する硬質表面用液体洗浄剤組成物であって、
界面活性剤として、（Ａ）非イオン界面活性剤〔以下、（Ａ）成分という〕、及び任意に（Ｂ）両性界面活性剤〔以下、（Ｂ）成分という〕を含有し
界面活性剤中、（Ａ）成分の割合が６０質量％以上であり、
（Ａ）成分として、（Ａ１）アルキル基の炭素数が１０以上１８以下であり、アルカノール基の炭素数が２又は３であるアルキルモノ又はジアルカノールアミン又はそのアルキレンオキシド付加物（アルキレンオキシドの炭素数は２又は３である）〔以下、（Ａ１）成分という〕を含有し、
（Ａ）成分及び（Ｂ）成分の合計中、（Ａ１）成分の割合が、０．５質量％以上２０質量％以下である、
硬質表面用液体洗浄剤組成物に関する。
【発明の効果】
【００１１】
本発明によれば、硬質物品に付着した油汚れに対する洗浄力に優れ、また、硬質物品処理後の水切れ性にも優れた、硬質表面用液体洗浄剤組成物が提供される。
【発明を実施するための形態】
【００１２】
本発明の作用機序に関しては定かではないが、本発明者らは以下のように考えている。（Ａ１）成分はＷＯ型乳化剤としても知られているＨＬＢの低い界面活性剤である。このため疎水性表面と油脂を含有する汚れの界面に選択的に作用し、その界面エネルギーを著しく低下させる。このような界面エネルギーの低下した界面に（Ａ１）成分以外の非イオン界面活性剤が作用することにより汚れの除去効果が著しく高められると考えられる。一方、ガラスなどの親水性表面は一般に水との親和性が高いために水切れが悪く、一般的な非イオン界面活性剤で洗浄した後は、汚れが除去されているため、通常、更に水切れ性が悪化する傾向を示す。しかしながら、（Ａ１）成分は、とりわけ中性付近では、少なくとも一部が、ガラスなどの親水性表面に吸着しやすい形態となっていると考えられ、洗浄後も親水性表面に一部残存し、親水性表面の適度な疎水化に寄与する。これにより、本発明の硬質表面用液体洗浄剤組成物の水切れ性が著しく改善されるものと考えられる。
【００１３】
＜硬質表面用液体洗浄剤組成物＞
〔界面活性剤〕
本発明の硬質表面用液体洗浄剤組成物は、界面活性剤として、（Ａ）成分の非イオン界面活性剤と、任意の（Ｂ）成分の両性界面活性剤を含有する。また、本発明の硬質表面用液体洗浄剤組成物は、（Ａ）成分として、（Ａ１）成分のアルキル基の炭素数が１０以上１８以下であり、アルカノール基の炭素数が２又は３であるアルキルモノ又はジアルカノールアミン又はそのアルキレンオキシド付加物（アルキレンオキシドの炭素数は２又は３である）を含有する。
【００１４】
まず、（Ａ１）成分について説明する。
（Ａ１）成分のアルキル基の炭素数は、好ましくは１２以上、そして、好ましくは１６以下である。
（Ａ１）成分のアルカノール基の炭素数は、２が好ましい。
（Ａ１）成分のアルキレンオキシドは、炭素数２のアルキレンオキシド、すなわちエチレンオキシドが好ましい。
（Ａ１）成分のアルキレンオキシドの平均付加モル数は、好ましくは１以上、より好ましくは１．５以上、そして、好ましくは１０以下、より好ましくは５以下である。
【００１５】
（Ａ１）成分としては、下記一般式（ａ１）で表される化合物が挙げられる。
【００１６】
【化１】
2020015863.tif 000002
【００１７】
〔式中、Ｒ１ａは、炭素数１０以上１８以下のアルキル基であり、ＡＯは、炭素数２又は３のアルキレンオキシ基であり、ｍ及びｎは、付加モル数であって、独立して０以上１０以下の数であり、ｍ＋ｎは１以上１０以下の数である。〕
【００１８】
式（ａ１）中、Ｒ１ａの炭素数は、好ましくは１２以上、そして、好ましくは１４以下である。
式（ａ１）中、ＡＯは、炭素数２のアルキレンオキシ基が好ましい。
式（ａ１）中、ｍ＋ｎは、好ましくは１．５以上、そして、好ましくは５以下の数である。
【００１９】
（Ａ）成分の非イオン界面活性剤としては、（Ａ１）成分以外の非イオン界面活性剤を含有する。本発明では非イオン界面活性剤が洗浄主基材であり、油汚れに対する洗浄力を有し、しかも食器洗浄時には豊富な泡立ちを有する非イオン界面活性剤が好ましい。本発明では、（Ａ１）成分以外の非イオン界面活性剤としては、（Ａ２）アミンオキシド型界面活性剤（以下、（Ａ２）成分という場合もある）、（Ａ３）アルキルグリコシド型界面活性剤（以下、（Ａ３）成分という場合もある）、及び（Ａ４）グリセリルエーテル型界面活性剤（以下、（Ａ４）成分という場合もある）から選ばれる一種以上の非イオン界面活性剤が、洗浄力と起泡性の観点から好ましい。
【００２０】
（Ａ２）成分のアミンオキシド型界面活性剤としては、３級窒素原子に結合する３つの基のうち、少なくとも１つが炭素数８以上１８以下のアルキル基（以下、長鎖アルキル基という）であり、残りが炭素数１以上３以下のアルキル基（以下、短鎖アルキル基という）である３級アミンオキシド型界面活性剤が挙げられる。
前記３級アミンオキシド型界面活性剤の長鎖アルキル基の炭素数は、好ましくは８以上、そして、好ましくは１６以下である。
前記３級アミンオキシド型界面活性剤の短鎖アルキル基の炭素数は、好ましくは１である。
前記３級アミンオキシド型界面活性剤は、３級窒素原子に結合する３つの基のうち、１つが長鎖アルキル基であり、残り、つまり２つが短鎖アルキル基であることが好ましい。
【００２１】
前記３級アミンオキシド型界面活性剤としては、下記一般式（ａ２）で表される化合物が挙げられる。
【００２２】
【化２】
2020015863.tif 000003
【００２３】
〔式中、Ｒ１１ａは、素数８以上１８以下のアルキル基を示し、Ｒ１２ａ及びＲ１３ａは、それぞれ独立に、炭素数１以上３以下のアルキル基を示す。Ｄは−ＮＨＣ（＝Ｏ）−基又は−Ｃ（＝Ｏ）ＮＨ−基を示し、Ｅは炭素数１以上５以下のアルキレン基を示す。ｑ及びｐは、ｑ＝０かつｐ＝０又はｑ＝１かつｐ＝１を示す。〕
【００２４】
式（ａ２）中、Ｒ１１ａの炭素数は、好ましくは１０以上、より好ましくは１２以上、そして、より好ましくは１４以下である。
式（ａ２）中、Ｒ１２ａ及びＲ１３ａは、好ましくは炭素数１のメチル基である。
式（ａ２）中、ｑ及びｐは、好ましくはｑ＝０かつｐ＝０である。
【００２５】
（Ａ３）成分のアルキルグリコシド型界面活性剤としては、アルキル基の炭素数が１０以上１８以下であるアルキルグリコシド型界面活性剤（以下、Ｃ１０−１８アルキルグリコシドという場合もある）が好ましい。
【００２６】
Ｃ１０−１８アルキルグリコシドとしては、下記の一般式（ａ３）で表される化合物が好ましい。
Ｒ２１ａ（ＯＲ２２ａ）ｓＧｔ        （ａ３）
〔式中、Ｒ２１ａは、直鎖又は分岐鎖の炭素数８以上、好ましくは１０以上、より好ましくは１２以上、そして、１８以下、好ましくは１４以下の、アルキル基、アルケニル基又はアルキルフェニル基、好ましくはアルキル基を示し、Ｒ２２ａは炭素数２以上４以下のアルキレン基を示し、Ｇは炭素数５又は６の還元糖に由来する残基を示す。ｓは平均付加モル数を示し、０以上５以下の数である。ｔはその平均値が１以上５以下となる数を示す。〕
【００２７】
一般式（ａ３）中、Ｒ２１ａは、粘度、洗浄性、起泡性、および低温保存安定性の観点から、炭素数８以上、好ましくは１０以上、そして、１８以下、好ましくは１４以下の直鎖又は分岐鎖のアルキル基である。
一般式（ａ３）中、ｓは、粘度、洗浄性、起泡性、および低温保存安定性の観点から、好ましくは０以上、２以下であり、より好ましくは０である。ｔは、粘度、洗浄性、起泡性、および低温保存安定性の観点から、好ましくは１．１以上、そして、好ましくは１．５以下、より好ましくは１．４以下である。尚、ｔはプロトンＮＭＲ法による測定値である。
一般式（ａ３）中、Ｇは、粘度、洗浄性、起泡性、および低温保存安定性の観点から、グルコース及びフルクトースから選ばれる１種以上の単糖類に由来する残基が挙げられる。また、Ｇは、マルトース及びスクロースから選ばれる１種以上の多糖類に由来する残基が挙げられる。Ｇは、グルコースの単糖類に由来する残基が好ましい。
【００２８】
（Ａ４）成分のグリセリルエーテル型界面活性剤としては、下記一般式（ａ４）で示される化合物が好ましい。
Ｒ３１ａ−［ＯＣＨ２ＣＨ（ＯＨ）ＣＨ２］ｕ−ＯＨ      （ａ４）
〔式中、Ｒ３１ａは炭素数８以上１０以下のアルキル基であり、ｕは１以上３以下の数である。〕
一般式（ａ４）中、Ｒ３１ａは洗浄性、起泡性、および低温保存安定性の観点から分岐鎖アルキル基が好ましく、２−エチルヘキシル基、イソノニル基、及びイソデシル基から選ばれる分岐鎖アルキル基がより好ましく、２−エチルヘキシル基が更に好ましい。ｕは洗浄性、起泡性、および低温保存安定性の観点から１又は２の数が好ましく、１がより好ましい。
本発明では、（Ａ４）成分は、２−エチルヘキシルモノグリセリルエーテルが更に好ましい。
【００２９】
本発明の硬質表面用液体洗浄剤組成物は、界面活性剤として、任意に（Ｂ）成分の両性界面活性剤を含有することができる。（Ｂ）成分の両性界面活性剤としては炭素数８以上、好ましくは１０以上、そして、１８以下、好ましくは１６以下、より好ましくは１４以下の炭化水素基、好ましくはアルキル基を１つ以上、好ましくは１つ有する両性界面活性剤、好ましくはベタイン型界面活性剤が挙げられる。ベタイン型界面活性剤としては、アルキル基又はアミド基（カルボン酸アミド基）の炭素数が８以上、好ましくは１０以上、そして、１８以下、好ましくは１６以下、より好ましくは１４以下の、アルキルアミノ酢酸ベタイン、アルキルアミドプロピル酢酸ベタイン、アルキルヒドロキシスルホベタイン、及びアミドアミノ酸（イミダゾリン系ベタイン）等が挙げられる。本発明では、Ｎ−アルキル−Ｎ，Ｎ−ジメチル−Ｎ−（２−ヒドロキシスルホプロピル）スルホベタインがより好ましい。当該スルホベタインも、アルキル基の炭素数は、好ましくは８以上、より好ましくは１０以上、そして、好ましくは１８以下、より好ましくは１６以下、更に好ましくは１４以下である。
【００３０】
本発明の硬質表面用液体洗浄剤組成物は、界面活性剤として、任意に（Ｃ）成分の陰イオン界面活性剤を含有することができる。陰イオン界面活性剤としては、炭素数８以上、好ましくは１０以上、そして、１８以下、好ましくは１６以下、より好ましくは１４以下の炭化水素基、好ましくはアルキル基を１つ有する陰イオン界面活性剤が好ましく、アルキルベンゼンスルホン酸塩、ポリオキシアルキレン（好ましくはポリオキシエチレン、平均付加モル数は０．５以上、好ましくは１以上、そして、４以下、好ましくは３以下）アルキルエーテル硫酸エステル塩、アルキル硫酸エステル塩、α−スルホ脂肪酸エステル塩、α−オレフィンスルホン酸塩、アルカンスルホン酸塩、脂肪酸塩が挙げられる。脂肪酸塩は、脂肪酸の炭素数が前記範囲にあるものが好ましい。
【００３１】
これらの他にも、界面活性剤としては、トルエンスルホン酸、アルケニルコハク酸、ジアルキルスルホサクシネート等が挙げられる。
【００３２】
〔組成、任意成分等〕
本発明の硬質表面用液体洗浄剤組成物は、界面活性剤を、好ましくは２０質量％以上、より好ましくは２５質量％以上、更に好ましくは３０質量％以上、そして、好ましくは５０質量％以下、より好ましくは４５質量％以下、更に好ましくは４０質量％以下含有する。
【００３３】
本発明の硬質表面用液体洗浄剤組成物は、洗浄性の観点から、界面活性剤中、（Ａ）成分の割合が６０質量％以上、好ましくは７０質量％以上、更に好ましくは８０質量％以上、そして、好ましくは１００質量％以下、より好ましくは９８質量％以下、更に好ましくは９５質量％以下である。
【００３４】
本発明の硬質表面用液体洗浄剤組成物は、水切れ性の観点から、（Ａ）成分及び（Ｂ）成分の合計中、（Ａ１）成分の割合が、０．５質量％以上、好ましくは１質量％以上、更に好ましくは２質量％以上、そして、２０質量％以下、好ましくは１８質量％以下である。
【００３５】
本発明の硬質表面用液体洗浄剤組成物は、洗浄性の観点から、（Ａ）成分及び（Ｂ）成分を合計で、好ましくは２０質量％以上、より好ましくは２５質量％以上、更に好ましくは３０質量％以上、そして、好ましくは６０質量％以下、より好ましくは５０質量％以下、更に好ましくは４５質量％以下含有する。
【００３６】
本発明の硬質表面用液体洗浄剤組成物は、洗浄力及び起泡性の点から、（Ａ）成分の含有量と（Ｂ）成分の含有量との質量比である、（Ｂ）／（Ａ）が、好ましくは０．０１以上、より好ましくは０．０５以上、更に好ましくは０．１以上、そして、好ましくは０．３以下、より好ましくは０．２５以下、更に好ましくは０．２以下である。
【００３７】
本発明の硬質表面用液体洗浄剤組成物は、洗浄性および泡安定性の観点から、（Ｂ）成分を、好ましくは０．１質量％以上、より好ましくは１質量％以上、更に好ましくは２質量％以上、そして、好ましくは１０質量％以下、より好ましくは８質量％以下、更に好ましくは６質量％以下含有する。
【００３８】
本発明の硬質表面用液体洗浄剤組成物は、（Ａ）成分として、（Ａ２）成分を含有することが好ましい。本発明の硬質表面用液体洗浄剤組成物は、洗浄性および保存安定性の観点から、（Ａ２）成分を、好ましくは２質量％以上、より好ましくは３質量％以上、更に好ましくは５質量％以上、そして、好ましくは１５質量％以下、より好ましくは１２質量％以下、更に好ましくは１０質量％以下含有する。
【００３９】
本発明の硬質表面用液体洗浄剤組成物は、（Ａ）成分として、（Ａ３）成分及び（Ａ４）成分から選ばれる一種以上の非イオン界面活性剤、好ましくは（Ａ３）成分及び（Ａ４）成分を含有することが好ましい。本発明の硬質表面用液体洗浄剤組成物は、洗浄性の観点から、（Ａ３）成分及び（Ａ４）成分から選ばれる一種以上の非イオン界面活性剤、好ましくは（Ａ３）成分及び（Ａ４）成分を、合計で、好ましくは１０質量％以上、より好ましくは１５質量％以上、更に好ましくは２０質量％以上、そして、好ましくは５０質量％以下、より好ましくは４０質量％以下、更に好ましくは３５質量％以下、より更に好ましくは３０質量％以下含有する。
【００４０】
本発明の硬質表面用液体洗浄剤組成物が（Ａ３）成分及び（Ａ４）成分を含有する場合、（Ａ３）成分の含有量と（Ａ４）成分の含有量の質量比である、（Ａ３）／（Ａ４）が、洗浄性の観点から、好ましくは２以上、より好ましくは３以上、更に好ましくは４以上、そして、好ましくは７以下、より好ましくは６以下、更に好ましくは５以下である。
【００４１】
本発明の硬質表面用液体洗浄剤組成物が（Ａ３）成分及び（Ａ４）成分から選ばれる一種以上の非イオン界面活性剤、好ましくは（Ａ３）成分及び（Ａ４）成分を含有する場合、界面活性剤中、（Ａ３）成分の含有量と（Ａ４）成分の含有量の合計の割合は、洗浄性の観点から、好ましくは４０質量％以上、より好ましくは４５質量％以上、更に好ましくは５０質量％以上、そして、好ましくは８０質量％以下、より好ましくは７５質量％以下、更に好ましくは７０質量％以下である。
【００４２】
本発明の硬質表面用液体洗浄剤組成物は、（Ａ１）成分の含有量と、（Ａ３）成分及び（Ａ４）成分の合計の含有量との質量比である、（Ａ１）／〔（Ａ３）＋（Ａ４）〕が、水切れ性の観点から、好ましくは０．０１以上、より好ましくは０．０１５以上、更に好ましくは０．０３以上、そして、好ましくは１以下、より好ましくは０．７以下、更に好ましくは０．５以下である。
【００４３】
本発明の硬質表面用液体洗浄剤組成物は、水切れの観点から、界面活性剤中、（Ｃ）成分の割合が、好ましくは１０質量％以下、より好ましくは４質量％以下、更に好ましくは３質量％以下、より更に好ましくは２質量％以下である。この割合の下限値は、０質量％以上とすることができ、０質量％であってもよい。すなわち、本発明の硬質表面用液体洗浄剤組成物は、任意に（Ｃ）成分の陰イオン界面活性剤を含有し、界面活性剤中の陰イオン界面活性剤の含有量の割合が前記範囲にあることが好ましい。
【００４４】
本発明の硬質表面用液体洗浄剤組成物は、水を含有することが好ましい。本発明の硬質表面用液体洗浄剤組成物は、上記成分を水に溶解／分散／乳化させた液体組成物の形態が好ましく、水溶液がより好ましい。用いる水は脱イオン水や蒸留水、或いは次亜塩素酸を０．５〜１０ｐｐｍ程度溶解させた次亜塩素酸滅菌水などを使用することができる。
【００４５】
本発明の硬質表面用液体洗浄剤組成物の２５℃におけるｐＨは、好ましくは４以上、より好ましくは４．５以上、更に好ましくは５以上であり、そして、好ましくは１０以下、より好ましくは８以下、更に好ましくは７以下である。低温安定性の観点から、好ましくは４以上、より好ましくは４．５以上、より好ましくは５以上である。一方、洗浄力の観点から、好ましくは１０以下、より好ましくは９以下、より好ましくは８以下、より好ましくは７以下である。このようなｐＨへの調整は、硫酸、塩酸、リン酸から選ばれる無機酸、クエン酸、りんご酸、マレイン酸、フマール酸、コハク酸から選ばれる有機酸、水酸化ナトリウム、水酸化カリウム、水酸化マグネシウム、炭酸ナトリウム、炭酸カリウムなどの無機アルカリ剤を用いて行われる。本発明では、組成物に緩衝能を持たせることが起泡性／泡持続性の点から好ましく、上記有機酸、好ましくはクエン酸と、無機アルカリ剤とを併用することが好適である。有機酸はナトリウム塩やカリウム塩の形態で組成物に配合しても差し支えない。
【００４６】
本発明の硬質表面用液体洗浄剤組成物の２０℃における粘度は、好ましくは５ｍＰａ・ｓ以上、更に１０ｍＰａ・ｓ以上、そして、好ましくは１５，０００ｍＰａ・ｓ以下、更に８，０００ｍＰａ・ｓ以下、更に２，０００ｍＰａ・ｓ以下、更に５００ｍＰａ・ｓ以下、更に３００ｍＰａ・ｓ以下である。
【００４７】
本発明の硬質表面用液体洗浄剤組成物は、好ましくは、食品に由来する油脂を含有する汚れを洗浄対象とする。食品に由来する油脂を含有する汚れは、例えば固体脂を含む汚れである。固体脂を含む汚れは、油脂を含んだ汚れであって、この油脂が常温（例えば２０℃）で固体を呈するものである。前記液体洗浄剤組成物を接触させるときの固体脂汚れの形態は、固体脂と液体油とが混在した状態であってもよい。
【００４８】
ポリエチレンやポリプロピレンなどの疎水性硬質表面に付着した油脂を含む汚れ、例えば固体脂を含む汚れ（以下、固体脂汚れという場合もある）は、落とし難い汚れであるが、本発明の硬質表面用液体洗浄剤組成物は、そのような疎水性硬質表面を有する硬質物品に付着した油汚れ、とりわけ固体脂汚れに対する洗浄力に優れる。一方、本発明の硬質表面用液体洗浄剤組成物は、硬質物品、なかでもガラスや陶器などの親水性表面を有する硬質物品を洗浄した場合、洗浄後の水切れ性に優れる。
【００４９】
本発明の硬質表面用液体洗浄剤組成物は、好ましくは、食器及び／又は台所周りの硬質物品、好ましくは食器を洗浄対象とする。
台所周りの硬質物品は、台所の周辺で使用される物品であり、具体的には、
（１）冷蔵庫、食器棚などの食品、食器、調理器具の保存場所、
（２）排水溝、調理台、レンジフード、シンク、ガスレンジ、電子レンジなどの食品の調理場所、及び
（３）前記保存場所や前記調理場所の周辺の床や壁等
である。本発明では、これらを便宜上「台所周りの硬質物品」とする。
また、食器としては、具体的には、
（ｉ）皿、椀等のいわゆる食器、
（ii）タッパー、瓶等の保存容器、
（iii）包丁やまな板、鍋、フライパン、魚焼きグリル等の調理器具、
（iv）フードプロセッサー、ミキサー等の調理家電等
の食材が接触する部材や器具が挙げられる。本発明では、これらを便宜上「食器」とする。
また、本発明の硬質表面用液体洗浄剤組成物は、食器、保存容器、調理器具、及び調理家電から選ばれる物品を対象とすることが好ましく、更に皿、椀、タッパー、ビン、包丁、まな板、鍋、フライパン、魚焼きグリル、フードプロセッサー、及びミキサーから選ばれる物品を対象とすることがより好ましい。
【００５０】
本発明の硬質表面用液体洗浄剤組成物の対象とする食器及び／又は台所周りの硬質物品の材質は、プラスチック（シリコーン樹脂などを含む）、金属、陶器、木、及びそれらの組み合わせが挙げられる。そして、本発明の硬質表面用液体洗浄剤組成物は、これら食器及び／又は台所周りの硬質物品に付着した油脂を含有する汚れ（以下、油脂汚れという場合もある）、例えば食品に由来する油脂を含有する汚れ、更には固体油汚れを効果的に洗浄することができる。
【００５１】
プラスチックなどの疎水性材料に付着した油脂汚れ、例えば固体脂汚れは落とし難い汚れであるが、本発明では、プラスチック製の食器及び／又は台所周りの硬質物品に付着した油脂汚れ、例えば固体脂汚れに対しても、優れた洗浄効果を示す。本発明の洗浄剤組成物は、プラスチック製の食器及び／又は台所周りの硬質物品用の液体洗浄剤組成物として好適である。プラスチックは、ポリプロピレン、ポリエチレンなどのポリオレフィン、ポリメタクリレート、ポリカーボネート、ＡＢＳ樹脂、ポリエチレンテレフタラートなどが挙げられる。
【００５２】
本発明により、前記本発明の硬質表面用液体洗浄剤組成物を用いた洗浄液で硬質物品を手洗い洗浄し、その後、水を用いてすすぎを行う、硬質物品の洗浄方法が提供される。
硬質物品は、好ましくは食器及び／又は台所周りの硬質物品、より好ましくは食器である。これらは、前記のものが挙げられる。
【００５３】
手洗い洗浄に用いられる洗浄液は、本発明の硬質表面用液体洗浄剤組成物を用いて得られたものであり、組成物の原液又は水を含む希釈液が用いられる。具体的な手洗い洗浄方法としては、本発明の硬質表面用液体洗浄剤組成物を用いた洗浄液を付着させた可撓性材料で、食器等の硬質物品を手洗い洗浄した後、水を用いてすすぎを行う、硬質物品の洗浄方法が挙げられる。例えば、水を含んだスポンジなどの可撓性材料に本発明の組成物を付着させ洗浄液を保持させて、手で数回揉みながら泡立てて、食器等の硬質物品をこすり洗いする。可撓性材料が保持する洗浄液中の界面活性剤の濃度は、高い起泡性と泡持続性の点から、好ましくは１，０００ｐｐｍ以上、更に２，０００ｐｐｍ以上、そして、好ましくは７０，０００ｐｐｍ以下、更に５０，０００ｐｐｍ以下、更に３０，０００ｐｐｍ以下である。洗浄終了後には水を加えてすすぎを行うが、例えば、本発明では洗浄濃度に希釈された組成物１質量部に対してすすぎ水３．３〜１３３質量部で十分泡が消え、すすぎを速やかに完了することができる。このすすぎ水の量は、従来の手洗い用洗浄剤組成物を用いた場合の２／３〜１／１０程度である。なお、ここでの組成物１質量部とは、組成物純分の濃度を示し、前記のすすぎ水の量に関する記述は、希釈された濃度に関わらず、洗浄液の調製に用いた硬質表面用液体洗浄剤組成物純分１質量部に対するすすぎ水が３．３〜１３３質量部で十分泡が消えることを示している。
【００５４】
また、別の具体的な手洗い洗浄方法としては、本発明の硬質表面用液体洗浄剤組成物を水で希釈した洗浄液に食器等の硬質物品を浸漬した後に、スポンジなどの可撓性材料を用いて食器等の硬質物品を手洗い洗浄し、その後、水を用いてすすぎを行う、硬質物品の洗浄方法が挙げられる。食器等の硬質物品を浸漬する時間は、洗浄性向上の観点から１分以上が好ましく、３分以上がより好ましく、５分以上が更に好ましく、１０分以上がより更に好ましく、３０分以上が最も好ましく、また、２４時間以下が好ましく、１２時間以下がより好ましく、６時間以下が更に好ましく、３時間以下がより更に好ましく、１時間以下がより更に好ましい。食器等の硬質物品を浸漬する洗浄液中の界面活性剤の濃度は、好ましくは１００ｐｐｍ以上、更に２００ｐｐｍ以上、そして、好ましくは７，０００ｐｐｍ以下、更に５，０００ｐｐｍ以下、更に３，０００ｐｐｍ以下であることが、高い起泡性と泡持続性の点から好ましい。洗浄終了後には水を加えてすすぎを行うが、例えば、本発明では、洗浄液の調製に用いた硬質表面用液体洗浄剤組成物１質量部に対してすすぎ水３．３〜１３３質量部で十分泡が消え、すすぎを速やかに完了することができる。
【００５５】
＜水切れ性改善方法＞
本発明者らは、（Ａ１）成分が、（Ａ２）成分、（Ａ３）成分、（Ａ４）成分などの非イオン界面活性剤を含有する硬質表面用洗浄剤組成物の水切れ性改善剤としても機能することを見出した。（Ａ１）成分を用いることで、（Ａ２）成分、（Ａ３）成分、（Ａ４）成分などの非イオン界面活性剤を含有する硬質表面用液体洗浄剤組成物で処理した硬質物品の水切れ性が飛躍的に改善される。
従って、本発明は、界面活性剤を含有する硬質表面用液体洗浄剤組成物の水切れ性改善方法であって、
前記硬質表面用液体洗浄剤組成物に、界面活性剤として、（Ａ）成分及び任意に（Ｂ）成分を含有させ、界面活性剤中、（Ａ）成分の割合を６０質量％以上とし、
前記硬質表面用液体洗浄剤組成物に、（Ａ）成分として、（Ａ１）成分を含有させ、（Ａ）成分及び（Ｂ）成分の合計中、（Ａ１）成分の割合を０．５質量％以上２０質量％以下とする、
硬質表面用液体洗浄剤組成物の水切れ性改善方法を提供する。
（Ａ）成分、（Ａ１）成分、（Ｂ）成分は、それぞれ、本発明の硬質表面用液体洗浄剤組成物と同じものであり、それぞれの具体例及び好ましい態様も、本発明の硬質表面用液体洗浄剤組成物と同じである。また、本発明の硬質表面用液体洗浄剤組成物で述べた事項は、この水切れ性改善方法に適宜適用することができる。
【実施例】
【００５６】
下記配合成分を用いて表１に示す硬質表面用液体洗浄剤組成物を調製し、以下の方法で洗浄力を評価した。結果を表１に示す。
【００５７】
＜配合成分＞
（Ａ１）成分
・Ａ１−１：Ｎ−ラウリル−Ｎ，Ｎ−ジエタノールアミン、アミート１０２、花王株式会社
・Ａ１−２：ポリオキシエチレン（２．１）硬化牛脂アミン、アミート３０２、花王株式会社、炭素数１６〜１８のアルキル基であり、オキシエチレン基の平均付加モル数が２．１のポリオキシエチレンアルキルアミン、一般式（ａ１）において、Ｒ１ａが炭素数１６〜１８のアルキル基、ｍ＋ｎが２．１の化合物
【００５８】
（Ａ２）
・Ａ２−１：Ｎ−ドデシル−Ｎ，Ｎ−ジメチルアミンオキシド、アンヒトール２０Ｎ、花王株式会社
・Ａ２−２：Ｎ−ミリスチル−Ｎ，Ｎ−ジメチルアミンオキサイド、アンヒトール４０Ｎ、花王株式会社
【００５９】
（Ａ３）成分
・Ａ３−１：アルキル（炭素数１２〜１６）ポリグルコシド（平均糖縮合度１〜２）、ＡＧ−１２４、花王株式会社
【００６０】
（Ａ４）成分
・Ａ４−１：２−エチルヘキシルグリセリルエーテル、ペネトール  ＧＥ−ＥＨ、花王株式会社
【００６１】
（Ｂ）成分
・Ｂ−１：Ｎ−ドデシル−Ｎ，Ｎ−ジメチル−Ｎ−（２−ヒドロキシスルホプロピル）スルホベタイン、アンヒトール２０ＨＤ、花王株式会社
【００６２】
（Ｃ）成分
・Ｃ−１：アルキルエーテル硫酸エステルナトリウム（商品名エマールＰ−１７０Ｊ、花王株式会社製、プロピレンオキシ基の平均付加モル数０．６）
・Ｃ−２：ドデシルベンゼンスルホン酸
【００６３】
＜洗浄力の評価方法＞
（モデル汚れ皿の準備）
牛脂を着色料で着色したモデル汚れを調製した。ポリプロピレン製の皿に、１枚当たりモデル汚れを０．５ｇ乗せて広げ、１晩静置した。同じようにしてモデル汚れが付着した皿を複数枚用意した。
（洗浄力評価方法）
市販の新品の高密度ウレタンスポンジ（キクロン株式会社）に表の硬質表面用液体洗浄剤組成物１ｇと水道水３０ｇを染み込ませ十分に泡立てた状態にした後、スポンジで１０回擦ってモデル汚れ皿を洗浄した。１０回擦ったのち皿を流水にかざし、泡と浮き上がった汚れをすすいだ。すすいだ皿を目視で確認して、着色したモデル汚れが認められない時、その皿は洗浄出来たものとして数えた。次に洗う皿の上でスポンジを揉んでから次のモデル汚れ皿も同様に洗浄した。この操作を繰り返し行い、洗浄出来た皿の枚数をその組成物の洗浄力とした。
評価は、専門パネラー１名の評価者が２回試験を行い、その平均値とした。値が大きいほど洗浄力に優れる。
【００６４】
＜水切れ性＞
市販の新品の高密度ウレタンスポンジ（キクロン株式会社）に表の硬質表面用液体洗浄剤組成物１ｇと水道水３０ｇを染み込ませ十分に泡立てた状態にした後、スポンジで５回擦って汚れのない陶器皿を洗浄した。５回擦ったのち皿を流水にかざし泡をすすぎ、着色した水に１分間浸漬し、取り出した後、垂直に静置した時の水切れが完了するまでの時間を測定した。水切れの完了は、目視にて着色水が皿上から切れきった状態となった時点とした。
◎：静置後、１０秒以内に水切れが完了する。
○：静置後、１０秒を超え３０秒以内に水切れが完了する。
△：静置後、３０秒を超え３分以内に水切れが完了する。
×：静置後、３分を超えて水切れが完了する。
【００６５】
【表１】
2020015863.tif 000004